(57)【要約】【課題】作業中に回転軸に草等が巻付くことを抑制する草巻付き防止構造を供する。【解決手段】伝動ケース１０から水平方向に突出して設けられる回転軸１５と、回転軸１５と共に回転する略円筒状に形成された回転ドラム２０と、回転ドラム２０に設けられる複数の刈刃２１とを有し、伝動ケース１０は、略円筒状に形成されたカバー３０によって覆われ、回転ドラム２０の伝動ケース１０側の端縁部は、カバー３０の内周面に所定の間隙をもって挿設され、該間隙部分において回転ドラム２０に段部４０が設けられていること。【選択図】図１
2011103846.tif 000002
【特許請求の範囲】
【請求項１】
出力部から水平方向に突出して設けられる回転軸と、該回転軸と共に回転する略円筒状に形成された回転体と、該回転体に設けられる複数の作業部とを有し、
前記出力部は、略円筒状に形成されたカバーによって覆われ、
前記回転体の前記出力部側の端縁部は、前記カバーの内周面に所定の間隙をもって挿設され、
該間隙部分において前記回転体に段部が設けられていることを特徴とする回転軸の草巻付き防止構造。
【発明の詳細な説明】
【技術分野】
【０００１】
本発明は、フレールモーアの回転軸に対する草等の巻付き防止構造に関する。
【背景技術】
【０００２】
従来、牧草、野草、雑草等を刈り取る機械として、水平に設けられた回転軸に複数の刈刃を取り付け、該刈刃の回転によって牧草等を粉砕しながら刈り取るフレールモーアが知られている。例えば、特許文献１には中央の伝動ケースから左右両側に延設された回転軸に、複数の刈刃が取り付けられた回転ドラムが設けられた構成のフレールモーアが記載されている。
【０００３】
このようなフレールモーアでは、作業中に回転軸に対して草等が巻き付くことを防止するために、巻付き防止部材が設けられることがある。特許文献１には、左右の回転ドラムの最内側の外周部に回転ドラムと一体に形成され、外観が皿状をなし、凹部側が伝動ケース側を向いて設けられる巻付き防止部材が記載されている。
【先行技術文献】
【特許文献】
【０００４】
【特許文献１】特開２００１−１６１１３６号公報（段落００３６、図５）
【発明の概要】
【発明が解決しようとする課題】
【０００５】
このような皿状の巻付き防止部材を設けることにより、該巻付き防止部材が設けられた位置より内側に草等が入り込まないようにする一定の効果はあると考えられる。しかしながら、高速で回転する回転ドラムの下方における草等の動きは一定でないため、単に皿状の部材を回転ドラムの最内側に配しただけでは草等が巻付き防止部材を越えて内側に入り込み回転軸に巻き付いてしまう虞がある。
【０００６】
本発明は、上記のような問題を課題の一例とし、作業中に回転軸に草等が巻付くことを抑制する草巻付き防止構造を提供するものである。
【課題を解決するための手段】
【０００７】
このような課題を解決するため、本発明による回転軸の草巻付き防止構造は、出力部から水平方向に突出して設けられる回転軸と、該回転軸と共に回転する略円筒状に形成された回転体と、該回転体に設けられる複数の作業部とを有し、前記出力部は、略円筒状に形成されたカバーによって覆われ、前記回転体の前記出力部側の端縁部は、前記カバーの内周面に所定の間隙をもって挿設され、該間隙部分において前記回転体に段部が設けられていることを特徴とする。
【発明の効果】
【０００８】
本発明によれば、作業中に回転軸に草等が巻付くことを抑制する草巻付き防止構造を備えたフレールモーアを提供することができる。
【図面の簡単な説明】
【０００９】
【図１】本発明の一実施の形態である回転軸の草巻付き防止構造を備えたフレールモーアの正面模式図である。
【図２】（ａ）本発明の一実施の形態である回転軸の草巻付き防止構造に用いられるカバーの斜視模式図である。（ｂ）本発明の一実施の形態である回転軸の草巻付き防止構造に用いられるカバーの斜視模式図である。
【図３】本発明の一実施の形態である回転軸の草巻付き防止構造を備えたフレールモーアの断面模式図である。
【図４】（ａ）図３のＡ部拡大図である。（ｂ）図４（ａ）を説明するための参考図である。
【図５】（ａ）本発明の他の実施の形態である回転軸の草巻付き防止構造に用いられるカバーの斜視模式図である。（ｂ）本発明の他の実施の形態である回転軸の草巻付き防止構造に用いられるカバーの斜視分解模式図である。
【発明を実施するための形態】
【００１０】
以下、本発明の実施形態について図面を参照しながら具体的に説明する。便宜上、同一の作用効果を奏する部分には同一の符号を付け、その説明を省略する。
【００１１】
図１はフレールモーアの一例として、例えば農作業用の管理機（全体図省略）において動力の出力部としての伝動ケース１０（図３参照）の左右に設けられる回転体としての回転ドラム２０に刈刃２１が取り付けられた状態を示す正面図である。図１において、説明の簡単のために、刈刃２１は回転ドラム２０に直線状に並設されているが、実際には刈刃２１は回転ドラム２０に対して所定の配列で全周囲に配設される。
【００１２】
エンジン（図示省略）からの駆動が伝えられる伝動シャフト（図示省略）が挿入された動力伝達軸１３の先端には動力の出力部としての伝動ケース１０（図３参照）が設けられ、該伝動ケース１０には左右に水平な回転軸１５が突出して設けられている。なお、回転軸１５は、軸受部材（図示省略）を覆うために伝動ケース１０の左右に設けられる円柱状に形成された軸受カバー１６の中心から突出している。回転軸１５は、回転体としての回転ドラム２０の回転中心に設けられた中空軸２３に嵌合される。これにより、回転ドラム２０は回転軸１５の回転にあわせて回転可能となる。ここで、例えば回転軸１５は六角柱状を呈し、中空軸２３の中空部分も同じく六角柱状であり、これらが嵌合することによって、回転軸１５の動力が回転ドラム２０に伝動されるものである。なお、中空軸２３と回転軸１５との固定は、回転軸１５の側面に穿設されたピン孔１５ａと中空軸２３の側面に穿設されたピン孔２３ａとにピン３が係止されることによってなされる。また、回転軸１５の端面に穿設されたネジ孔１５ｂに対して中空軸２３の外端部側から締付ボルト５を螺着すことによってなされる。なお、ピン３は、例えばアールピン（図示省略）によって、抜け落ちが防止されている。
【００１３】
回転ドラム２０は、略円筒状を呈し、外周面に作業部としての刈刃２１が保持されるブラケット２５が複数設けられる。図示例における回転ドラム２０は、中空軸２３と回転軸１５との固定において回転軸１５の側面に穿設されたピン孔１５ａにピン３を係止しやすいように、外周面に取り付け用の窓として開口２０ａが設けられている。これにより、ピン孔１５ａとピン３を係止する際には、開口２０ａから作業者が手を入れることで容易に作業を行うことができる。なお、一の回転ドラム２０に対して開口２０ａが周方向に４個設けられている例を示してあるが、これに限られず、３個以下又は５個以上であっても構わない。
【００１４】
伝動ケース１０には、伝動ケース１０を回転軸１５の周方向に沿って覆うためのカバー３０が取付可能となっている。図２（ａ）に示すように、カバー３０は、略円筒状からなる円筒部３１を有し、該円筒部３１は略半円筒状の円弧部３２及び円弧部３３から構成される。円弧部３２と円弧部３３とは周方向の一端側が例えば蝶番のような可動連結部材３５によって枢支されることで開閉自在となっている（開状態のカバーを図２（ｂ）に示す）。そして、他端側は伝動ケース１０の上部に設けられた動力伝達軸１３にカバー３０を固定するための固定部３４となっている。図示例において、固定部３４は動力伝達軸１３の形状に合わせた凹部３４ａと該凹部３４ａに対向する板状部材３４ｂとによって動力伝達軸１３が挟持される構成となっているが、これに限られず、例えば円弧部３２，３３のそれぞれの端部に凹部を設けこれによって動力伝達軸１３を挟持する構成としても構わない。カバー３０において円筒部３１の幅は伝動ケース１０の幅より大きく形成されているため、伝動ケース１０だけでなく伝動ケース１０から左右に延設された回転軸１５の一部もカバー３０によって覆われることになる。
【００１５】
円弧部３２，３３の内周面には位置調節部材３６が設けられ、伝動ケース１０に対するカバー３０の相対的な位置を調節することが可能となっている。図示例では、位置調節部材３６は、伝動ケース１０に当接するための当接部３６ａが先端に設けられたネジ状体からなり、該ネジ状体がそれぞれの円弧部３２，３３の内周面において、中心より可動連結部材３５側に設けられている取付位置に螺着される。ネジ状体はそれぞれの取付位置において回転させることで高さが調節可能であり、これによってカバー３０を動力伝達軸１３に取り付けた際に、カバー３０における円筒部３１の中心と伝動ケース１０における回転軸１５の中心とが一致するように調節することができる。なお、位置調節部材３６には調節された位置で高さを固定するための調節用ナット３６ｂが設けられている。
【００１６】
図３に示すように、回転ドラム２０において伝動ケース１０側の端部側は、カバー３０の内側に所定の寸法（例えば１０ｍｍ〜２０ｍｍ程度）だけ挿入されている。これにより、カバー３０における円筒部３１の端部側と回転ドラム２０の端部側とが所定の寸法だけ内外にラップすることになる。回転ドラム２０の外径はカバー３０の内径より所定の寸法だけ小さく形成されているため、回転ドラム２０はカバー３０の内周に接触することなく回転することができる。
【００１７】
図４（ａ）は図３のＡ部拡大図である。回転ドラム２０における伝動ケース１０側の端部付近の周縁は、上述のカバー３０における円筒部３１の端部側とのラップ部分において、少なくとも円筒部３１の端縁とのラップ部分に所定の厚さ（例えば５ｍｍ以上）の段部４０が形成されている。図示例では、円筒部３１の端部側とのラップ部分の全てに一様な厚さの段部４０が回転ドラム２０に一体的に形成されているが、これに限られず、回転ドラム２０とは別部材のリング状部材を回転ドラム２０の端縁部に嵌合しても構わない。この場合、従来の回転ドラム２０に取り付けるだけで段部４０を形成するのと同様の作用が得られるため簡便である。
【００１８】
伝動ケース１０にカバー３０を設け、該カバー３０によって回転軸１５の露出部分と回転ドラム２０の伝動ケース１０側の端部付近とを覆うことにより、従来のような回転ドラムの端縁部に皿状部材を設けた構成よりも、回転軸１５に対する草等の巻付き防止効果が高くなる。しかしながら、例えば図４（ｂ）に示すように回転ドラム１２０とカバー３０とのラップ部分に段部が設けられていない場合、同図に白抜きの矢印によって示すように、回転ドラム１２０の外周面に沿って草等が左右に移動し、回転ドラム１２０とカバー３０とのラップ部分の僅かな間隙から伝動ケース１０側に入り込み回転軸１５に巻き付いてしまう虞がある。
【００１９】
これに対し、上記実施例のように回転ドラム２０に段部４０を設けることで、図４（ａ）において白抜きの矢印によって示すように、回転ドラム２０の外周面に沿って草等が伝動ケース１０側に移動してきても、草等は高速で回転する段部４０の壁部４０ａに弾かれることにより回転ドラム２０とカバー３０との間隙に入り込み難くなる。このように、同じ大きさの間隙であっても間隙部分に段部４０が設けられることによって、より効果的に草等の侵入及び巻付きが抑制される。
【００２０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。例えば、段部４０の形状は、円筒部３１と回転ドラム２０とのラップ部分に所定の高さで一様に形成されるものを示したが、これに限られず、少なくとも円筒部３１の端縁とのラップ部分に所定の高さの壁部があれば良い。
【００２１】
また、伝動ケース１０に対して別部材であるカバー３０を着脱自在に設けることでカバー３０に汎用性をもたせる例を示したが、これに限られず、伝動ケースに対して円筒状の部材を一体的に形成し、回転軸１５を覆うようにしても構わない。この場合、カバーの中心と回転軸１５の中心とを一致させる手間を省くことができる。
【００２２】
また、出力部として伝動ケース１０を例示したが、これに限られず、例えば出力部として、エンジンからの駆動をチェーンによって回転軸１５に伝えるチェーンケースを備え、該チェーンケースから回転軸１５が水平方向に突出して設けられる構造でも構わない。
【００２３】
この場合、上記実施の形態に示したカバー３０における固定部３４を変形して、チェーンケースに固定できるようにしても良いし、例えば図５（ａ）に示すようにチェーンケース５０の回転軸５５周辺を周方向に沿って覆う略円筒状の本体６１と該本体６１に嵌合する蓋体６２とによってカバー６０を構成するようにしても良い。図示例において、チェーンケース５０の内部は図示しないが、伝動シャフトからの駆動力が入力される駆動スプロケットが上部に設けられ、該駆動スプロケットの回転が伝動される従動スプロケットが下部に設けられており、これら駆動スプロケットと従動スプロケットとの間にチェーンが巻回されている。そして従動スプロケットの回転が軸受部材（図示省略）に支持された回転軸５５によって出力される。なお、チェーンケース５０の一般的な構成として、回転軸５５は軸受部材を覆っている円柱状に形成された軸受カバー５３の中心から突出している。
【００２４】
図示例の本体６１及び蓋体６２は、いずれも円筒状に形成された筒状部６１ａ，６２ａと、軸受カバー５３が係止される孔部６５ａが中央に設けられた側面部６５とによって構成されている。本体６１の筒状部６１ａはチェーンケース５０の下部側の回転軸５５周辺を周方向に沿って覆うため、少なくともチェーンケース５０の厚さ以上の幅（筒状部６１ａの高さ）を有している。さらに図示例においては、筒状部６１ａには所定の大きさの切欠部６１ｂが設けられ、該切欠部６１ｂにチェーンケース５０が嵌合するように構成される。ここで、切欠部６１ｂの高さはチェーンケース５０の厚さより大きくなるように形成されるため、切欠部６１ｂにチェーンケース５０が嵌合すると、筒状部６１ａがチェーンケースの下部側を覆うことになる。
【００２５】
蓋体６２において筒状部６２ａの幅は本体６１の筒状部６１ａより小さく形成されている。さらに筒状部６２ａの外径が本体６１の筒状部６１ａの内径と略同じになるように形成されるため、蓋体６２は本体６１の内側に嵌合することができる。これにより、図５（ｂ）に示すように、蓋部６２と本体６１とが左右からチェーンケース５０の下部側を挟み込むようにして嵌合して、覆うことができる。ここで、孔部６５ａに軸受カバー５３が係止されるように位置決めをすれば、筒状部６１ａ，６２ａの中心と軸受カバー５３の中心に設けられた回転軸５５の中心とが一致するので、上記実施の形態のような位置調節部材３６による調節等が必要なく簡便に扱うことができる。なお、本体６１と蓋体６２との固定はボルト等によって行われている。
【００２６】
また、出力部としてセンタードライブ方式による伝動ケース１０やチェーンケースを実施例として示したが、これに限られず、サイドドライブ方式による出力部の場合であっても、出力部及び回転軸の一部を覆うようにカバーを取り付けることによって巻付き防止構造を構成することができる。
【符号の説明】
【００２７】
３…ピン、５…ボルト、１０…伝動ケース、１３…動力伝達軸、１５…回転軸、１５ａ…ピン孔、１５ｂ…ネジ孔、２０…回転ドラム、２０ａ…開口、２１…刈刃、２３…中空軸、２５…ブラケット、３０…カバー、３１…円筒部、３２，３３…円弧部、３４…固定部、３６…位置調節部材、４０…段部、４０ａ…壁部、１２０…回転ドラム
【図１】
2011103846.tif 000003
【図２】
2011103846.tif 000004
【図３】
2011103846.tif 000005
【図４】
2011103846.tif 000006
【図５】
2011103846.tif 000007